(57)【特許請求の範囲】
【請求項１】
第１のコマーシャルを含む第１のコンテンツを提示することと、
前記第１のコンテンツのプロバイダによって前記第１のコンテンツが評価機能から適用除外されているかどうかを決定することと、
前記第１のコンテンツのプロバイダによって前記第１のコンテンツが前記評価機能から適用除外されている場合、前記評価機能を無効にし、前記第１のコンテンツのプロバイダによって前記第１のコンテンツが前記評価機能から適用除外されていない場合、
前記提示された第１のコマーシャルのユーザ評価を受信することと、
前記ユーザ評価に基づきコマーシャル選択アルゴリズムを修正することと、
前記修正されたコマーシャル選択アルゴリズムに基づき選択された第２のコマーシャルを含む第２のコンテンツを提示することと、
を有する方法。
【請求項２】
サーバから前記第１のコンテンツを受信するステップと、
前記ユーザ評価を前記サーバへ転送するステップと、
前記サーバから前記第２のコンテンツを受信するステップと
を更に有する請求項１に記載の方法。
【請求項３】
サーバから前記第１のコンテンツを受信するステップと、
アドサーバから複数のコマーシャルを受信するステップと、
前記サーバから前記第２のコンテンツを受信するステップと
を更に有する請求項１に記載の方法。
【請求項４】
前記サーバは、コンテンツプロバイダによって操作され、該コンテンツプロバイダは、
マルチプルシステムオペレータ、オンラインプロバイダ又はブロードキャストプロバイダである、
請求項２に記載の方法。
【請求項５】
前記コマーシャル選択アルゴリズムは、人口統計若しくはコンテンツ、又は人口統計及びコンテンツに基づく、
請求項２に記載の方法。
【請求項６】
前記第１のコマーシャルの前記ユーザ評価は、前記アドサーバへ提供される、
請求項３に記載の方法。
【請求項７】
コンテンツプロバイダが的を絞った広告を提供するための方法であって、
コマーシャル選択アルゴリズムに基づき選択された第１のコマーシャルを含む第１のコンテンツをコンテンツプロバイダによって供給するステップと、
前記コンテンツプロバイダによって前記第１のコンテンツが評価機能から適用除外されているかどうかを決定することと、
前記第１のコンテンツが前記評価機能から適用除外されている場合、前記評価機能を無効にし、前記第１のコンテンツが前記評価機能から適用除外されていない場合、
前記供給された第１のコマーシャルのユーザ評価を受信することと、
前記ユーザ評価に基づきコマーシャル選択アルゴリズムを修正することと、
前記修正されたコマーシャル選択アルゴリズムに基づき選択された第２のコマーシャルを含む第２のコンテンツを提示することと、
を有する方法。
【請求項８】
前記第１のコマーシャルは、前記コマーシャル選択アルゴリズムに加えてユーザのプロファイルに基づき選択される、
請求項７に記載の方法。
【請求項９】
前記コンテンツプロバイダは、マルチプルシステムオペレータ、オンラインプロバイダ又はブロードキャストプロバイダである、
請求項７に記載の方法。
【請求項１０】
前記コマーシャル選択アルゴリズムは、人口統計若しくはコンテンツ、又は人口統計及びコンテンツに基づく、
請求項７に記載の方法。
【請求項１１】
前記第１のコマーシャルの前記ユーザ評価は、アドサーバへ提供される、
請求項７に記載の方法。
【請求項１２】
ユーザインターフェースと、コントローラとを備えた装置であって、
前記コントローラは、
第１のコマーシャルを含む第１のコンテンツを提示し、
前記第１のコンテンツのプロバイダによって前記第１のコンテンツが評価機能から適用除外されているかどうかを決定し、
前記第１のコンテンツのプロバイダによって前記第１のコンテンツが前記評価機能から適用除外されている場合、前記評価機能を無効し、前記第１のコンテンツのプロバイダによって前記第１のコンテンツが前記評価機能から適用除外されていない場合、
前記提示された第１のコマーシャルのユーザ評価を前記ユーザインターフェースから受信し、
前記ユーザ評価に基づきコマーシャル選択アルゴリズムを修正し、
前記修正されたコマーシャル選択アルゴリズムに基づき選択された第２のコマーシャルを含む第２のコンテンツを提示する、
ように構成された、装置。
【請求項１３】
前記コントローラが、さらに、
サーバから前記第１のコンテンツを受信し、
前記ユーザ評価を前記サーバへ転送し、
前記サーバから前記第２のコンテンツを受信する、
ように構成された、請求項１２に記載の装置。
【請求項１４】
前記コントローラが、さらに、
サーバから前記第１のコンテンツを受信し、
アドサーバから複数のコマーシャルを受信し、
前記サーバから前記第２のコンテンツを受信する、
ように構成された、請求項１２に記載の装置。
【請求項１５】
前記サーバは、コンテンツプロバイダによって操作され、該コンテンツプロバイダは、マルチプルシステムオペレータ、オンラインプロバイダ又はブロードキャストプロバイダである、
請求項１３に記載の装置。
【請求項１６】
前記コマーシャル選択アルゴリズムは、人口統計若しくはコンテンツ、又は人口統計及びコンテンツに基づく、
請求項１２に記載の装置。
【請求項１７】
前記第１のコマーシャルの前記ユーザ評価は、前記アドサーバへ提供される、
請求項１４に記載の装置。
【請求項１８】
ディスプレイ装置とユーザインターフェースとコントローラを備える、コンテンツを提供する装置であって、
前記コントローラは、
コマーシャル選択アルゴリズムに基づき選択された第１のコマーシャルを含む第１のコンテンツを前記ディスプレイ装置上に提示し、
前記第１のコンテンツのプロバイダによって前記第１のコンテンツが評価機能から適用除外されているかどうかを決定し、
前記第１のコンテンツのプロバイダによって前記第１のコンテンツが前記評価機能から適用除外されている場合、前記評価機能を無効にし、前記第１のコンテンツのプロバイダによって前記第１のコンテンツが前記評価機能から適用除外されていない場合、
前記ユーザインターフェースから前記提示された第１のコマーシャルのユーザ評価を受信し、
前記ユーザ評価に基づき前記コマーシャル選択アルゴリズムを修正し、
前記修正されたコマーシャル選択アルゴリズムに基づき選択された第２のコマーシャルを含む第２のコンテンツを前記ディスプレイ装置上に提示する、
ように構成された、装置。
【請求項１９】
前記第１のコマーシャルは、前記コマーシャル選択アルゴリズムに加えてユーザのプロファイルに基づき選択される、
請求項１８に記載の装置。
【請求項２０】
前記第１のコンテンツ及び前記第２のコンテンツは、コンテンツプロバイダから受信され、前記コンテンツプロバイダは、マルチプルシステムオペレータ、オンラインプロバイダ又はブロードキャストプロバイダである、
請求項１８に記載の装置。
【請求項２１】
前記コマーシャル選択アルゴリズムは、人口統計若しくはコンテンツ、又は人口統計及びコンテンツに基づく、
請求項１８に記載の装置。
【請求項２２】
前記第１のコマーシャルのユーザ評価は、アドサーバへ提供される、
請求項１８に記載の装置。
【請求項２３】
第１のコマーシャルを含む第１のコンテンツを提示することと、
前記第１のコンテンツのプロバイダによって前記第１のコンテンツが評価機能から適用除外されているかどうかを決定することと、
前記第１のコンテンツのプロバイダによって前記第１のコンテンツが前記評価機能から適用除外されている場合、前記評価機能を無効にし、前記第１のコンテンツのプロバイダによって前記第１のコマーシャルが前記評価機能から適用除外されていない場合、
前記提示された第１のコマーシャルのユーザ評価を受信し、
前記ユーザ評価に基づきコマーシャル選択アルゴリズムを修正し、
前記修正されたコマーシャル選択アルゴリズムに基づき選択された第２のコマーシャルを含む第２のコンテンツを提示する、
方法。
【請求項２４】
ユーザインターフェースと、コントローラとを備える装置であって、
前記コントローラは、
第１のコマーシャルを含む第１のコンテンツを提示し、
前記第１のコンテンツのプロバイダによって前記第１のコンテンツがユーザ評価機能から適用除外されているかどうかを決定し、
前記第１のコンテンツのプロバイダによって前記第１のコンテンツが前記ユーザ評価機能から適用除外されている場合、前記第１のコンテンツのプロバイダによって前記ユーザ評価機能を無効にし、前記第１のコンテンツが前記ユーザ評価機能から適用除外されていない場合、
前記ユーザインターフェースから前記提示された第１のコマーシャルのユーザ評価を受信し、
前記ユーザ評価に基づきコマーシャル選択アルゴリズムを修正し、
前記修正されたコマーシャル選択アルゴリズムに基づき選択された第２のコマーシャルを含む第２のコンテンツを提示する、
ように構成された、装置。
【発明の詳細な説明】
【技術分野】
【０００１】
本発明は、概して、広告に関し、特に、映像サービスのユーザ（視聴者）が自身が見ている広告を変更し且つ影響を与えることを可能にすることに関する。すなわち、本発明は、的を絞った広告の改善を提供する。
【背景技術】
【０００２】
広告（同様の多くのもの）は、個人的嗜好の問題である。一部の人々は、タコス・ファストフードチェーン店Ｔａｃｏ  Ｂｅｌｌ（タコベル）の宣伝キャラクターであるＴａｃｏ  Ｂｅｌｌ  Ｄｏｇを面白く且つ親しみが持てると感じた。他の人々は、Ｔａｃｏ  Ｂｅｌｌ  Ｄｏｇのコマーシャルを嫌った。時間が経つにつれて、一部の人々は前者から後者へ移った。コマーシャルの視聴者にとって、良いコマーシャルは偉大な効果を有することができる。すなわち、私はそのコマーシャルが好きだから、その製品を購入／使用したいと思う、というものである。悪いコマーシャルが反対の効果を有し得ることは、概して見過ごされてきた。視聴者は、悪いコマーシャルによって表現される製品を避けるであろう。あるいは、同様に、上述されたように、繰り返しが、視聴者に、時間とともに製品を避け始めさせ得る。特定のイベント（例えば、土曜日に一日中大学バスケットボールを見ること）の場合に、同じコマーシャルが繰り返し示され、良いコマーシャルにさえ悪いコマーシャルの効果を持たせる。
【０００３】
広告者は、視聴者に自身の製品を買う気にさせるようアピールするために宣伝する。しばしば、悪い広告は、視聴者から製品に対する興味を奪い、悪い広告の繰り返しは、視聴者に完全に製品を避けさせ得る。良いコマーシャルの過度の繰り返しは、同様に不利な効果を有することがある。
【発明の概要】
【発明が解決しようとする課題】
【０００４】
マルチキャスト及びブローキャスト適用において、データは、有線及び／又は無線ネットワーク上でサーバから複数の受信器へ送信される。ここで使用されるマルチキャストシステムは、サーバが同じデータを同時に複数の受信器へ送信するシステムであって、該複数の受信器が受信器の全てを含むまで全ての受信器のサブセットを形成するシステムである。ブローキャストシステムは、サーバが同じデータを同時に全ての受信器へ送信するシステムである。すなわち、マルチキャストシステムは、定義によって、ブロードキャストを含むことができる。
【０００５】
本発明は、映像サービスの視聴者が自身が見ている広告に影響を与えることを可能にする。本発明は、ユーザが広告を順位付けすることを可能にし、それにより、広告（アド）サーバは、より有効な宣伝をユーザへ放送（送信）するができる。同時に、すこぶる有益なフィードバックが広告者へ与えられ、彼らが現在の視聴傾向に対応することを可能にする。本発明はまた、ユーザによる順位付けが、彼らの現在の嗜好に対応するよう、変更されることを可能にする。
【０００６】
本発明のシステムは、視聴者からのフィードバックがその特定の視聴者へ提供される広告を変更することを可能にし、視聴者及び広告者の双方にとってより良い経験をもたらす。ユーザを関わらせることはまた、ユーザが自身が広告（アド）に影響を与えることができると認識する場合に、ユーザがより広告を見る気になり得るので、“チャンネル・サーフィン”を減らし得る。現在からのフィードバックは広告者に利用可能にされ、よって、実際のユーザフィードバックが新しい広告を後押しする環境を作り出す。
【０００７】
本発明は、ユーザからのフィードバックが広告者（ニールセン・ワールドにおける放送局）に利用可能にされ且つどの広告が好まれるかを決定するために使用され得る点で、ニールセン視聴率システムと同様である。これは、すなわち、将来の広告（コマーシャル）を形作ることができる。本発明は、ＴＶ番組、映画、製品等のような、ランキングに基づくシステムである。
【課題を解決するための手段】
【０００８】
的を絞った広告をユーザ装置を介してユーザへ提供する方法及び装置であって、コンテンツプロバイダによって供給されるコンテンツを受信し、供給された前記コンテンツをレンダリングし、コマーシャル・ブレイクでデフォルトのコマーシャル選択アルゴリズムに基づき前記コンテンツに挿入されたコマーシャルを表示し、ユーザが前記コマーシャルを評価したいと望むかどうかを決定し、前記ユーザが前記コマーシャルを評価したいと望む場合に前記コマーシャルの前記ユーザによる評価を受け取り、前記コマーシャル及び該コマーシャルの前記ユーザによる評価を前記コンテンツプロバイダへ送る方法及び装置が記載される。また、コンテンツプロバイダが的を絞った広告をユーザ装置へ提供するための方法及び装置であって、レンダリングのために前記ユーザ装置へコンテンツを送り、ユーザのプロファイルを取り出し、前記ユーザがユーザに特有のコマーシャル選択アルゴリズムを有するかどうかを決定し、コマーシャル・ブレイクより前に前記ユーザに特有のコマーシャル選択アルゴリズム及び前記ユーザのプロファイルに基づき前記コンテンツにコマーシャルを挿入し、前記コマーシャルを前記ユーザ装置へ提供し、提供された前記コマーシャルの評価に関するユーザフィードバックが受信されたかどうかを決定し、フィードバックが受信された場合に前記ユーザのユーザに特有のコマーシャル選択アルゴリズムを変更し、ユーザに特有のコマーシャル選択アルゴリズムが見つけられない場合にコマーシャル・ブレイクより前にデフォルトのコマーシャル選択アルゴリズムに基づき前記コンテンツに前記コマーシャルを挿入する方法及び装置が記載される。
【０００９】
コマーシャルの評価を使用する方法及び装置であって、複数のユーザからコマーシャルを評価するユーザフィードバックを受信し、コマーシャル関連データを収集し、該コマーシャル関連データ及び前記コマーシャルの評価を集約し、該集約されたデータに基づき統計値を計算し、該統計値をデフォルトのコマーシャル選択アルゴリズムに適用する方法及び装置が記載される。
【００１０】
コンテンツプロバイダによって供給されるコンテンツを受信し、供給された前記コンテンツをレンダリングし、コマーシャル・ブレイクでデフォルトのコマーシャル選択アルゴリズムに基づき前記コンテンツに挿入されたコマーシャルを表示し、ユーザが前記コマーシャルを評価したいと望むかどうかを決定し、前記ユーザが前記コマーシャルを評価したいと望む場合に前記コマーシャルの前記ユーザによる評価を受け取り、前記コマーシャル及び該コマーシャルの前記ユーザによる評価を１以上のソーシャルネットワーキングサイトへ送る方法及び装置が記載される。
【図面の簡単な説明】
【００１１】
【図１Ａ】コンテンツをユーザ（例えば、ホーム又はエンドユーザ又はクライアント）へ配信する例となるシステムのブロック図である。
【図１Ｂ】アド（コマーシャル）表示の現行モデルのフローチャートである。
【図１Ｃ】例となる受信装置のブロック図である。
【図２】ユーザの視点からの本発明の的を絞った広告の順位付け（評価）システムのフローチャートである。
【図３】コンテンツプロバイダの視点からの本発明の方法の例となる実施形態のフローチャートである。
【図４】コンテンツプロバイダの視点からの本発明の方法の代替的な例となる実施形態である。
【図５】ユーザによる広告順位付けを受信し集約するための、コンテンツプロバイダの視点からの本発明の実例となる実施形態である。
【発明を実施するための形態】
【００１２】
本発明は、添付の図面とともに読まれる場合に下記の詳細な説明から最も良く理解される。図面は、先に簡単に説明された図を含む。
【００１３】
本発明は、良い広告の過度の繰り返し及び悪いコマーシャルのレンダリングの両方を是正する。それは視聴者及び広告者の双方を幸せにし、従って、コンテンツプロバイダ及びマルチプルシステムオペレータ（Multiple  System  Operators；ＭＳＯｓ）を幸せにする。本発明は、映像サービスによる何らかの形態の双方向通信を必要とするシステムである。本発明は、映像サーバと相互作用し、例えば、ＰＣ、又はモバイル機器、インタラクティブＴＶ若しくは何らかの他の形態のクライアント装置であってよいローカルＳＴＢを含む。サーバにおいて、どの広告を送信（送出、ブロードキャスト、マルチキャスト）すべきかに関する決定を行う選択（preference）エンジンが存在する。好ましい実施形態では、広告決定は、個々のＳＴＢ又は世帯に的を絞られる。
【００１４】
視聴者が番組を見ている場合に、彼／彼女は、レンダリング（表示）されている広告を順位付けする能力を有する。広告を順位付けするユーザの能力は、リモートコントロールにおける専用のボタン、又は選択可能な画面上のポップアップ、又は携帯電話機若しくはタブレット等のような代替のシステムに基づくジェスチャによってよい。順位付けは、例えば、１から５までの、又は何らかの他の従来選択の順位レベルであってよい。順位レベル情報はサーバへ送信（返送）される。次いで、サーバは、現在のユーザ又は世帯の嗜好プロファイルをカスタマイズするよう、受信された順位レベル情報を使用することができる。
【００１５】
加えて、そのような順位付けは、どのコマーシャルが経過良好であり且つどのコマーシャルがそうでないのかに関して広告者へ匿名のフィードバックを与えるよう、記憶され集約されてよい。これは、広告者が、消費者に対して良い効果を有していないコマーシャルを抜き、且つ、視聴者が現在好むものに類似した新しいコマーシャルを作ることを可能にする。これはまた、コマーシャル（例えば、Ｔａｃｏ  Ｂｅｌｌ  Ｄｏｇ）が好きから嫌いへ移り始めている場合に広告者に知らせるのに役立つ。広告者が適切な時にコマーシャルを中止する場合は、かかるコマーシャルは良く覚えられる。広告者が良いコマーシャルでさえ過度に再生されることを許す場合は、かかるコマーシャルは悪く覚えられる。
【００１６】
ユーザは、いつでもコマーシャルの自身の順位付けを変更することができる。このように、広告者は、特定のアドの再生が過度又は不足であるかどうかを決定し、然るべく広告のレンダリングを調整することができる。
【００１７】
このフィードバックは、広告者にとって極めて有益であり得る。順位付けは悪いが特定の主要な人口統計で成功するテレビ番組が存在する（存在している）。そのような番組は、広告者がそれらの特定の人口統計にアクセスしたい場合に、放送局がその番組の最中の広告により課金することができるので、放送され続ける。すなわち、アドは、如何なる種類の双方向性にもよらず、局所的な人口統計に基づき、特定の地理的領域において再生（レンダリング）される。Ｃａｎｏｅ  Ｖｅｎｔｕｒｅｓ、Ｅｎｈａｎｃｅｄ  ＴＶ  Ｂｉｎａｒｙ  Ｉｎｔｅｒｃｈａｎｇｅ  Ｆｏｒｍａｔ（ＥＢＩＦ）及びｔｒｕ２ｗａｙは、ユーザがマクロレベルで広告と相互作用することを可能にする。すなわち、例えば、ユーザ（視聴者）は、フォード・フォーカスの１以上の特徴に関する追加情報を得るためにフォード・フォーカスのアドの最中にポップアップするボタンをクリックすることができる。このようなマクロレベルの双方向性は、本発明の相互作用のマクロレベルではない。番組の視聴者の人口統計の認識と結びつけられた広告の順位付けを可能にすることは、広告者が、どのような視聴者の人口統計が彼らの広告にとって肯定的であるのかを発見することを可能にする。オンラインで又は双方向テレビを介して見られる広告は静的であり（映像（コンテンツ）ストリームに予め埋め込まれているか、又はコンテンツストリームに挿入されている。）、性質に限りがある。しばしば、同じアドが複数回放送（マルチキャスト）される。本発明は、アドのユーザによる順位付け（評価）に基づき、ユーザが好むであろうアドをコンテンツ（映像）ストリームに挿入するために、アドサーバを使用する。本発明の的を絞った広告は、好ましいアドを挿入するためにデジタル挿入を使用する。
【００１８】
図１Ａは、コンテンツをユーザ（例えば、ホーム又はエンドユーザ又はクライアント）へ配信する例となるシステムのブロック図である。コンテンツは、映画館又は制作会社のようなコンテンツ源１０２から発生する。コンテンツは、２つの形態のうちの少なくとも一方において供給されてよい。１つの形態は、コンテンツのブロードキャスト形態であってよい。ブロードキャスト・コンテンツは、放送支局マネージャ１０４へ供給される。放送支局マネージャ１０４は、通常、ＡＢＣ放送（American  Broadcasting  Company）、ＮＢＣ放送（National  Broadcasting  Company）、ＣＢＳ放送（Columbia  Broadcasting  System）等のような全国放送サービスである。放送支局マネージャは、コンテンツを収集し記憶してよく、配信ネットワーク１（１０６）として示される配信ネットワーク上でのコンテンツの配信をスケジューリングしてよい。配信ネットワーク１（１０６）は、ナショナルセンターから１以上の地域の又は局所的なセンターへの衛星リンク伝送を含んでよい。配信ネットワーク１（１０６）はまた、無線ブロードキャスト、衛星ブロードキャスト若しくはケーブルブロードキャスト、又はインターネットを介するような、局所配信ネットワーク（システム）による局所コンテンツ配信を含んでよい。局所的に配信されたコンテンツは、ユーザの家にある受信装置１０８へ供給される。そこで、コンテンツは、その後にユーザによって検索される。当然ながら、受信装置１０８は、多くの形態をとることができ、セットトップボックス、デジタルビデオレコーダ（ＤＶＲ）、ゲートウェイ、モデム、デジタルＴＶ等として具現されてよい。更に、受信装置１０８は、ホームネットワークにおけるクライアント又はピア装置のいずれかとして構成される付加的な装置を含むホームネットワークシステムのためのエントリポイント又はゲートウェイとして動作してよい。
【００１９】
コンテンツの第２の形態は、スペシャル・コンテンツと呼ばれる。スペシャル・コンテンツは、放送支局マネージャ１０４へ供給されない割増視聴、ペイパービュー又は他のコンテンツとして配信されるコンテンツ、例えば、映画、ビデオゲーム又は他の映像要素を含んでよい。多くの場合に、スペシャル・コンテンツは、ユーザによって要求されるコンテンツであってよい。スペシャル・コンテンツは、コンテンツマネージャ１１３へ配信されてよい。コンテンツマネージャ１１３は、例えば、コンテンツプロバイダ、ブロードキャストサービス又は配信ネットワークサービスの傘下にあるインターネットウェブサイトのようなサービスプロバイダであってよい。コンテンツマネージャ１１３はまた、インターネットコンテンツを配信システムに組み込んでよい。コンテンツマネージャ１１３は、別個の配信ネットワークである配信ネットワーク２（１１２）上でコンテンツをユーザの受信装置１０８へ配信してよい。配信ネットワーク２（１１２）は、高速ブロードバンドインターネット通信システムを含んでよい。放送支局マネージャ１０４からのコンテンツはまた、配信ネットワーク１（１０６）の全て又は部分により配信されてよい点が、留意されるべきである。加えて、ユーザはまた、必ずしもコンテンツをコンテンツマネージャ１１３によって管理してもらうことなしに、インターネットから配信ネットワーク２（１１２）を介して直接にコンテンツを取得してよい。
【００２０】
別個に配信されたコンテンツを利用するための幾つかの適応が可能であってよい。１つの可能なアプローチにおいて、スペシャル・コンテンツは、代替の表示、購入及び販売促進のオプション、エンハンスメントマテリアル等を提供するブロードキャスト・コンテンツへの追加物として提供される。他の適応では、スペシャル・コンテンツは、ブロードキャスト・コンテンツとして提供される何らかのプログラミング・コンテンツに完全に取って代わってよい。最後に、スペシャル・コンテンツは、ブロードキャスト・コンテンツとは完全に別々であってよく、単純に、ユーザが利用することを選択することができるメディア代替であってよい。例えば、スペシャル・コンテンツは、ブロードキャスト・コンテンツとして未だ利用可能でない映画のライブラリであってよい。
【００２１】
受信装置１０８は、配信ネットワーク１及び配信ネットワーク２の一方又は両方から異なるタイプのコンテンツを受信してよい。受信装置１０８は、コンテンツを処理し、ユーザの好み及びコマンドに基づきコンテンツの分離を提供する。受信装置１０８は、コンテンツ（音声、映像及びマルチメディアコンテンツ）を記録及び再生するために、ハードドライブ又は光ディスクドライブのような記憶装置を更に含んでよい。受信装置１０８の動作の更なる詳細は、図１Ｃに関して以下で記載される。処理されたコンテンツは、ディスプレイ装置１１４へ供給される。ディスプレイ装置１１４は、２Ｄタイプのディスプレイであってよく、又は代替的に、高度な３Ｄディスプレイであってよい。
【００２２】
受信装置１０８はまた、タッチスクリーン制御装置１１６へインターフェース接続されてよい。タッチスクリーン制御装置１１６は、受信装置１０８及び／又はディスプレイ装置１１４のユーザ制御を提供するよう適応されてよい。タッチスクリーン制御装置１１６は、コンテンツを表示する能力を有してよい。コンテンツは、ユーザインターフェースエントリのようなグラフィクスエントリであってよく、あるいは、ディスプレイ装置１１４へ配信されるコンテンツの一部であってよい。タッチスクリーン制御装置１１６は、赤外線（ＩＲ）又は無線周波数（ＲＦ）通信のような、何らかのよく知られている信号伝送システムを用いて受信装置１０８へインターフェース接続してよく、赤外線通信協会（infrared  data  association；ＩＲＤＡ）標準、Ｗｉ−Ｆｉ、ブルートゥース（登録商標）、及び同様のもののような標準プロトコル、又は何らかの他の独自のプロトコルを含んでよい。タッチスクリーン制御装置１１６の動作は、以下で更に詳細に記載される。
【００２３】
広告サーバ（アドサーバ）１１８は、自身に記憶されているアド（コマーシャル）を有し、放送支局マネージャ１０４、コンテンツマネージャ１１３及び／又は受信装置１０８のうちのいずれか１つ又はそれ以上へ接続され得る装置である。アドは、放送支局マネージャ１０４、コンテンツマネージャ１１３及び／又は受信装置１０８のうちのいずれか１つ又はそれ以上へ配信され、それらによってコンテンツに挿入されてよい。
【００２４】
ここで図１Ｂを参照して、図１Ｂは、アド（コマーシャル）表示の現行モデルのフローチャートである。１０５で、ユーザは、コンテンツ（例えば、音声、映像又はマルチメディアコンテンツを含み得るテレビ番組若しくは映画又は何らかの他のコンテンツ）を受信し、視聴する。コンテンツは、コンテンツプロバイダ（例えば、Ｃｏｍｃａｓ、Ｖｅｒｉｚｏｎ  ＦＩＯＳ、Ａｔｒａｎｔｉｃ  Ｂｒｏａｄｃａｓｔ又はローカルケーブルプロバイダ）、衛星システムオペレータ（例えば、ＤｉｒｅｃＴＶによって操作されるもの）、又はインターネットから受信（によって供給）されてよい。１１０で、コンテンツに含まれるメタデータに従って又は時間に基づき、コンテンツプロバイダは、コマーシャル・ブレイクの間、コンテンツを一時中断する。１１５で、コンテンツプロバイダは、アドをコンテンツ（番組、映画等）に挿入し又は植え込む。１２０で、挿入された（植え込まれた）アドは、ユーザ（視聴者）へ提供される。コンテンツ及びアドは両方とも、ユーザ（視聴者、消費者、クライアント）へのブロードキャスト（マルチキャスト）である。
【００２５】
図１Ｃは、実例となる受信装置のブロック図である。受信装置２００は、図１Ａに記載される受信装置と同様に動作してよく、ゲートウェイ装置、モデム、ＳＴＢ又は他の同様の通信装置の部分として含まれてよい。示される受信装置２００はまた、オーディオ装置又はディスプレイ装置を含む他のシステムに組み込まれてよい。いずれの場合にも、システムの完全な動作のために必要な幾つかの構成要素は、それらが当業者によく知られている場合に、簡潔さのために示されない。
【００２６】
受信装置２００において、コンテンツは、入力信号受信器２０２によって受信される。入力信号受信器２０２は、放送、ケーブル、衛星、イーサネット（登録商標）、光ファイバ及び電話回線網を含む幾つかの可能なネットワークのうちの１つ越しに供給される信号を受信し、復調し、復号するために使用される幾つかの既知の受信器回路のうちの１つであってよい。所望の入力信号は、制御インターフェース又はタッチパネルインターフェース２２２を通じて供給されるユーザ入力に基づき、入力信号受信器２０２によって選択され取り出されてよい。タッチパネルインターフェース２２２は、タッチスクリーン装置へのインターフェースを含んでよい。タッチパネルインターフェース２２２はまた、携帯電話機、タブレット装置、マウス、標準のリモートコントロール装置、ハイエンドのリモートコントロール装置又は同様の機能を備えた何らかの装置へインターフェース接続するよう適応されてよい。入力信号受信器２０２はまた、コマーシャルのユーザ評価に関するフィードバックを供給するようにバックチャネルを提供するよう適応されてよい。
【００２７】
復号された出力信号は、入力ストリームプロセッサ２０４へ供給される。入力ストリームプロセッサ２０４は、最終の信号選択及び処理を実行し、コンテンツストリームのための音声コンテンツからの映像コンテンツの分離を含む。音声コンテンツは、圧縮デジタル信号のような受信フォーマットからアナログ波形信号への変換のためにオーディオプロセッサ２０６へ供給される。アナログ波形信号は、オーディオインターフェース２０８へ、更にはディスプレイ装置又はオーディオ増幅器へ供給される。代替的に、オーディオインターフェース２０８は、高精細マルチメディアインターフェース（High-Definition  Multimedia  Interface；ＨＤＭＩ（登録商標））又はソニー／フィリップス・デジタル・インターコネクト・フォーマット（Sony/Phillips  Digital  interconnect  Format；ＳＰＤＩＦ）のような代替のオーディオインターフェースを用いてデジタル信号をオーディオ出力装置へ供給してよい。オーディオインターフェース２０８はまた、１以上の組のスピーカを駆動する増幅器を含んでよい。オーディオプロセッサ２０６はまた、音声信号の記憶のための何らかの必要な変換を実行する。
【００２８】
入力ストリームプロセッサ２０４からの映像出力は、ビデオプロセッサ２３５へ供給される。映像信号は幾つかのフォーマットのうちの１つであってよい。ビデオプロセッサ２３５は、必要に応じて、入力信号フォーマットに基づく映像コンテンツの変換を提供する。ビデオプロセッサ２３５はまた、映像信号の記憶のための何らかの必要な変換を実行する。
【００２９】
記憶装置２１２は、入力部で受信される音声及び映像コンテンツを記憶する。記憶装置２１２は、コントローラ２１４の制御下で、更には、ユーザインターフェース２１６及び／又はタッチパネルインターフェース２２２から受信されるコマンド、例えば、早送り（ＦＦ）及び巻き戻し（Ｒｅｗ）のようなナビゲーション命令に基づき、コンテンツの後の検索及び再生を可能にする。記憶装置２１２は、ハードディスクドライブ、１以上の大容量集積電子メモリ、例えば、静的ＲＡＭ（ＳＲＡＭ）又は動的ＲＡＭ（ＤＲＡＭ）であってよく、あるいは、取り替え可能な光ディスク記憶システム、例えば、コンパクトディスク（ＣＤ）ドライブ又はデジタルビデオディスク（ＤＶＤ）ドライブであってよい。
【００３０】
入力部から又は記憶装置２１２から生じる、ビデオプロセッサ２３５からの変換された映像信号は、ディスプレイインターフェース２１８へ供給される。ディスプレイインターフェース２１８は更に、赤−緑−青（ＲＧＢ）のようなアナログ信号インターフェースであってよく、あるいは、ＨＤＭＩのようなデジタルインターフェースであってよい。当然ながら、ディスプレイインターフェース２１８は、以下でより詳細に記載されるように、３次元グリッドにおいて検索結果を提示するための様々なスクリーンを生成する。
【００３１】
コントローラ２１４は、入力ストリームプロセッサ２０４、オーディオプロセッサ２０６、ビデオプロセッサ２３５、記憶装置２１２及びユーザインターフェース２１６を含む装置２００の構成要素のうちの幾つかへバスを介して相互接続される。コントローラ２１４は、記憶装置での記憶のために又は表示（レンダリング）のために入力ストリームを信号に変換する変換処理を管理する。コントローラ２１４はまた、記憶されているコンテンツの検索及び再生を管理する。加えて、以下で記載されるように、コントローラ２１４は、コンテンツの検索と、記憶されているか又は上記の配信ネットワークを介して配信されるコンテンツを提示するグリッド表示の作成及び調整とを実行する。
【００３２】
コントローラ２１４は更に、コントローラ２１４のために情報及び命令コードを記憶するための制御メモリ２４０（例えば、ＲＡＭ、ＳＲＡＭ、ＤＲＡＭ、ＲＯＭ、プログラム可能ＲＯＭ（ＰＲＯＭ）、フラッシュメモリ、電子的プログラム可能ＲＯＭ（ＥＰＲＯＭ）、電子的消去可能なプログラム可能ＲＯＭ（ＥＥＰＲＯＭ）等を含む揮発性又は不揮発性メモリ）へ結合される。制御メモリ２４０はまた、コンテンツを含むグラフィック要素のような要素のデータベースを記憶してよい。代替的に、制御メモリ２４０は、識別された又はグループ化されたメモリ位置においてグラフィック要素を記憶し、アクセス又は位置テーブルを使用して、グラフィック要素に関連した情報の様々な部分についてメモリ位置を特定してよい。グラフィック要素の記憶に関する更なる詳細は、以下で記載される。更に、制御メモリ２４０の実施は、単一メモリ装置又は代替的に、共有若しくは共通メモリを形成するよう通信上接続又は連結されている１よりも多いメモリ回路のような、幾つかの可能性を含んでよい。また更に、メモリは、より大きな回路において、バス通信回路の部分のような他の回路とともに含まれてよい。
【００３３】
ユーザインターフェース２１６はまた、マイクロホンのためのインターフェースを含む。ユーザインターフェース２１６は、有線又は無線であってよく、本発明における使用のために音声信号の受信を可能にする。そのような音声コマンドは、発話認識ユニット（図示せず。）を通じて処理されるべきである。本発明のユーザインターフェース処理は、本発明の的を絞った広告順位付けシステム及び方法のためのフィードバックを提供するよう入力装置を用いる。これを可能にするよう、タッチパネル装置が、ユーザインターフェース２１６及び／又はタッチパネルインターフェース２２２を介してインターフェース接続されてよい。タッチパネル装置は、受信装置又はＳＴＢを含む様々な装置の動作、あるいは、本発明の的を絞った広告順位付け方法及びシステムへ入力を提供することを可能にする。タッチパネル装置は、手の動き又はジェスチャに基づき、あるいは、タッチパネルにレンダリングされる（それに表示される）選択肢をタッチすることによって、入力を可能にする。タッチパネル装置はまた、リモートコントロール装置の部分として含まれてよい。サーバへのフィードバックは、例えば、ユーザインターフェース２１６又はタッチパネルインターフェース２２２を介して、完了されてよい。ユーザインターフェース２１６及びタッチパネルインターフェース２２２のいずれもが、コントローラ２１４と双方向に通信する。コントローラ２１４は、入力ストリームプロセッサ２０４と双方向に通信し、入力ストリームプロセッサ２０４は、入力信号受信器２０２と双方向に通信する。入力信号受信器２０２は、図１Ａに示される様々な構成要素と双方向に通信する。
【００３４】
本発明の第１の実施形態において、ユーザ（視聴者）は、テレビ番組を評価するために使用されるニールセン視聴率システムと同様にアドを順位付け（評価）する。ユーザは、いつでも自身のアド順位付け（評価）を更新することができる。好ましい実施形態では、これは、アド（コマーシャル）が再生（レンダリング）される時に起こり、それにより、ユーザは、ユーザがアドを順位付け（評価する）時にアド（コマーシャル）を見ているので、それはユーザの心に鮮やかに残る。
【００３５】
ここで図２を参照して、ユーザの視点からの本発明の的を絞った広告順位付け（評価）システムのフローチャートが記載されている。ユーザ装置は、双方向ＴＶ（２Ｄ又は３Ｄ）、コンピュータ、ラップトップ、デュアルモード対応スマートフォン、パーソナルデジタルアシスタント、タブレット装置、ｉＰｏｄ（登録商標）、ｉＰｈｏｎｅ（登録商標）、ｉＰａｄ（登録商標）又はコンテンツを受信するための何らかの同等の装置であってよい。２０５で、ユーザは、コンテンツ（例えば、音声、映像又はマルチメディアコンテンツを含み得るテレビ番組若しくは映画又は何らかの他のコンテンツ）を受信し、視聴する。コンテンツは、コンテンツプロバイダ（例えば、Ｃｏｍｃａｓ、Ｖｅｒｉｚｏｎ  ＦＩＯＳ、Ａｔｒａｎｔｉｃ  Ｂｒｏａｄｃａｓｔ又はローカルケーブルプロバイダ）、衛星システムオペレータ（例えば、ＤｉｒｅｃＴＶによって操作されるもの）、又はインターネットから受信（によって供給）されてよい。２１０で、コンテンツに含まれるメタデータに従って又は時間に基づき、コンテンツプロバイダは、コマーシャル・ブレイクの間、コンテンツを一時中断する。２１５で、コンテンツプロバイダは、アドをコンテンツ（番組、映画等）に挿入し又は植え込む。２２０で、挿入された（植え込まれた）アドは、ユーザ（視聴者）へ提供される。コンテンツ及びアドは両方とも、ユーザ（視聴者、消費者、クライアント）へのブロードキャスト（マルチキャスト）である。ユーザ（視聴者）は、アド（コマーシャル）を順位付け（評価）するよう勧められる。２２５で、ユーザが広告を順位付け（評価）したいかどうかを判断するよう試験が行われる。ユーザは更に、順位付け（評価）された広告の数に基づく、ユーザが宣伝されている製品のために使用することができるユーザへの直接払い若しくはクーポン、又は製品若しくはサービスに関して稼がれた点数、又は月々の請求書の減額を通じて、コンテンツプロバイダによって、広告を順位付け（評価）するよう仕向けられてよい。ユーザが広告を順位付け（評価）したくない場合は、処理は、広告が放送を終えた後に２０５へ進む。広告を順位付けすることにおける関心の欠如は、ユーザがアド順位付けプログラムに参加したくないこと、又はユーザが部屋の外に出ており、広告を見ていないことを意味すると考えられてよい。ユーザが広告を順位付け（評価）したいと望む場合は、２３０で、ユーザは広告の順位付けを提供する。順位付けは、数値であってよく、あるいは、ユーザがその広告を好きか又は嫌いかを意味する同意又は不同意（thumbs  up又はdown）であってよい。２３３で、ユーザによる順位付けのデータ（情報）はコンテンツプロバイダへ送られる。コンテンツプロバイダは、ＭＳＯ、衛星プロバイダ又はインターネットプロバイダを含んでよいが、これらに限られない。コンテンツプロバイダへの通信は、ユーザ装置によって、又は上述されたような受信装置によって、直接実行されてよい。コンテンツプロバイダは、以下でより詳細に記載されるように、あらゆる方法において、ユーザによる広告順位付けの情報を使用してよい。
【００３６】
ユーザは、ＩＲリモートコントロール装置のボタンを用いること、又はタッチスクリーンを用いること、又はユーザインターフェース２１６へ接続され得るようなジェスチャ検知コントローラを介した手の動き若しくはジェスチャを用いることを含むあらゆる手段によって、自身が広告の順位付けに参加したいと望むこと及び実際の広告順位付けの両方を示してよい。
【００３７】
本発明の第２の実施形態において、第１の実施形態は、広告サーバ（アドサーバ）及びセットトップボックス（ＳＴＢ）によりユーザが好むアドを挿入する能力を含むよう強化される。これは、コンテンツプロバイダがアド順位付け情報を使用することができる１つの方法である。ユーザ視点からの本発明の方法（図２を参照）は、目につくほどに変化しない。唯一の違いは、ヘッドエンド（コンテンツプロバイダ）がユーザのコマーシャル（広告）アルゴリムを変更してユーザが好むアドを表示するので、ユーザが自身が好むアドを見るであろう点である。この場合に、コンテンツは依然として、コンテンツを要求するあらゆるユーザへのブロードキャスト（マルチキャスト）であるが、アドは、特定のユーザ（世帯、職場）へのユニキャストである。好ましい実施形態は、局所ＳＴＢへアドを送信する。局所ＳＴＢは、スケジューリングされているコマーシャル・ブレイクで広告を挿入する。デジタル挿入は、広告が選択される手段である。アドサーバは、そのデータベース又はメタデータに基づき、コンテンツに挿入されるべき具体的なアドを供給することができる。関連データは、アド（広告、コマーシャル）自体から切り離されてよい。決定を行い及び／又は挿入を達成するエンジンとしてアドサーバ若しくは受信装置又はホームゲートウェイを用いてこれが達成され得る多くの方法が存在する。
【００３８】
図３は、コンテンツプロバイダの視点からの本発明の方法の実例となる実施形態である。３０５で、コンテンツプロバイダ（例えば、ヘッドエンド）はユーザへコンテンツを送る。コンテンツは、ユーザが見るためのユーザ装置へのマルチキャスト又はブロードキャストである。３１０で、コマーシャル・ブレイクアルゴリムに従って、コマーシャル・ブレイクが起こり、又は差し迫る（スケジューリングされるか若しくはスケジューリングされるべきである）。コマーシャル・ブレイクは、シーン変更のようなコンテンツ・メタデータに基づきスケジューリングされてよい。コンテンツプロバイダ（例えば、ヘッドエンド）は、そのデータベースを見て、ユーザのプロファイルを見つける。３２０で、この特定のユーザについてのプロファイルが見つけられたかどうかを決定するよう試験が行われる。この特定のユーザのためのプロファイルが見つけられなかった場合は、３２５で、コンテンツプロバイダは、コンテンツプロバイダで利用可能なデフォルトのコマーシャル選択アルゴリズムに基づき、デフォルトのコマーシャル（広告）をコンテンツに挿入する（植え込む）。３３０で、コンテンツプロバイダは、デフォルトのコマーシャル選択アルゴリズムを提供（スプール）する。デフォルトのコマーシャルは、地理（人口統計）及び／又は番組内容に基づいてよい。プロファイルがこの特定のユーザについて見つけられた場合は、３３５で、コンテンツプロバイダは、ユーザのプロファイル及びコマーシャル選択アルゴリズムに基づき、１以上のコマーシャルをコンテンツに挿入する（植え込む）。特定の広告が“好まれる”（すなわち、例えば、５が最も好まれるとして、１から５の等級において３（又はそれ以上）に順位付けされる）場合に、広告は、より頻繁に放送（提供、上映）される。特定の広告が“嫌われる”（すなわち、例えば、５が最も好まれるとして、１から５の等級において２（又はそれ以下）に順位付けされる）場合に、広告は、それほど頻繁に放送（提供、上映）されない。例えば、ユーザ（視聴者）がおむつのコマーシャルを“嫌い”続ける場合に、ユーザのコマーシャル選択アルゴリズムは、おむつのコマーシャルのみならず幼児向け製品に関連したコマーシャルを上映する回数を減らし始める。他方で、ユーザ（視聴者）がビールのコマーシャルを“好み”続ける場合は、ビール及び他のアルコール製品のコマーシャルがより頻繁に放送（提供、上映）される。ユーザ（視聴者）がユーモアのある広告を好むかどうかを見分けることも可能であってよい。３４０で、選択された広告は、直接に、又は上述されたように受信装置によって、ユーザ装置へ提供（スプール）される。好ましい実施形態では、これは、スケジューリングされたコマーシャル・ブレイクで局所的にコンテンツに挿入されるよう、選択された広告をユーザ装置へ直接に又は受信装置（例えば、局所ＳＴＢ、ＤＶＲ又は同調の装置）によって伝送（送信、通信）することで達成される。デジタル挿入は、広告が選択される手段であるから、広告は、ユーザが好むアドを選択するよう夫々のアドと関連したメタデータを有するべきである。３４５で、コンテンツプロバイダがユーザのフィードバック（広告の順位付け）を受信したかどうかを決定するよう試験が行われる。ユーザフィードバックはまた、順位付け（評価）された広告を再放送するための時間を含んでよい。時間は、特定の時間又は時間期間であってよく、その時間の後に、広告が再放送され得る。例えば、ユーザは、一般に特定のコマーシャルを“好む”が、それが過剰に頻繁に繰り返されていると感じることがあるので、そのコマーシャルが１時間は放送（提供、上映、レンダリング、表示）されないよう要求することができる。コンテンツプロバイダがユーザのフィードバックを受信した場合は、３５０で、コンテンツプロバイダは、この特定のユーザのコマーシャル選択アルゴリズムを変更する。３５５で、コマーシャル・ブレイクが終了（完了）したかどうかを決定するよう試験が行われる。コマーシャル・ブレイクが終了していない場合は、処理は３１０へ進む。コマーシャル・ブレイクが終了している場合は、処理は３０５へ進む。コンテンツプロバイダがユーザフィードバックを受信していない場合は、３６０で、コンテンツプロバイダは現在のコマーシャルを提供（スプール）することを止め、処理は３５５へ進む。
【００３９】
あるとても評判のよいイベント（例えば、スーパーボール）は、上記の順位付け方法から放送局によって適用除外（除外）されてよい点が留意されるべきである。そのような場合に、ユーザのコマーシャル選択アルゴリズム及び／又はアドを順位付け（評価）する能力は使用不可能にされてよく、あるいは、アドを順位付け（評価）する能力は有効なままであってよく、一方、コマーシャル選択アルゴリズムは無効にされる。
【００４０】
図４は、コンテンツプロバイダの視点からの本発明の方法の代替の実例となる実施形態である。図４は、４３５が３３５に置き換わる点を除いて図３と同じであるから、上記の説明は繰り返されない。４３５で、選択されたコマーシャル（広告）は、ユーザのコマーシャル選択アルゴリズム及び現在の時間帯の広告者に基づき、コンテンツに挿入される（植え込まれる）。特定の広告者は、自身の広告が特定の時間帯に流れるように選択し再生してよく、それにより、この広告者のコマーシャルのうちの１つは、この時間帯に流れるべきである。しかし、広告者が、例えば、歯磨き粉及びおむつを含む多くの製品を製造するプロクター・アンド・ギャンブル（Ｐ＆Ｇ）である場合には、この特定のユーザのコマーシャル選択アルゴリズムに基づきユーザの好みに最も一致するアド（コマーシャル、広告）が提供（スプール、再生、レンダリング、配信）される。よって、広告者が利用可能な自身の製品の幾つかのための広告を有するとすると、この広告者の広告は常にこの時間帯に再生されるが、それは広告者により好まれる又は提案される広告でなくてよい。
【００４１】
本発明の第３の実施形態において、本発明の第１の実施形態は、ソーシャルネットワーキングフィードバックを用いる広告挿入制御を含むよう強化される。この実施形態では、ユーザは、複数のソーシャルネットワーキングサイトのうちのいずれか１つにより自身が好む広告を自身のＢＦＦへ送信し、同じく広告を順位付けするよう自身の友人に求めることができる。よって、広告者は、原の視聴者（ユーザ）のＢＦＦがその原のユーザからの推薦（原のユーザが広告を好んだとの保証）により広告を得るという付加的な利点により、より幅広い露出（無料）を得る。この実施形態では、ユーザは、図２に示されるように操作するが、ステップ２３３の代わりに又はそれに加えて、ユーザは、自身が好み（楽しみ）順位付けした広告をユーザのＢＦＦへの１以上のソーシャルネットワーキングウェブサイトへユーザ装置を介して通信（伝送、送信）する。Ｔｗｉｔｔｅｒ（登録商標）のようなソーシャルネットワーキングサイトは、メッセージの部分として送信され得る特別のハッシュタグに関連する“トレンド”の話題を有する。広告者は、（Ｔｗｉｔｔｅｒ（登録商標）が公衆のフォーラムである場合に）自身のアドがトレンドであることを容易に確認し、自身のアドに関する議論に追随することができる。広告者はまた、Ｆａｃｅｂｏｏｋ（登録商標）ページ又は同様のものをセットアップしてよく（それらの多くは既になされている。）、ユーザは、自身の評価をそれらのサイトへプッシュすることができる。ユーザは、アドを“好き”であると選択するだけではなく、自身がコマーシャルを好きでなかったとの通知を自身のユーザへ送信することができる。これは、他者に、どのように彼らがそれについて考えるかを確認するためにアドを見るよう仕向けることがあり、あるいは、それは、新聞又は雑誌記事の力のように世論に暗雲を投げかけることがある。
【００４２】
本発明の第４の実施形態において、ある広告順位付け（評価）は、匿名で広告者へ提供される。図５は、ユーザによる広告の順位付けを受信し集約するための、コンテンツプロバイダの視点からの本発明の実例となる実施形態である。５０５で、コンテンツプロバイダは、ユーザのフィードバック（広告順位付け）を受信する。広告順位付けは、数値又は単に“好き”若しくは“嫌い”であってよい。５１０で、コンテンツプロバイダは、コマーシャルに関連したデータと、広告（コマーシャル）が放送された日時、地理（人口統計）、番組及び／又はチャンネルごとに広告が放送（提供）された回数並びにコマーシャル・メタデータとを収集する。５１５で、収集されたデータは、集約され、任意に重みを割り当てられる。集約された収集データは、ユーザごと、日付及び／又は日時による、地理（人口統計）による、番組による及び／又はチャンネルによる、を含む種々の方法のいずれか又は全てにおいて記憶される。人口統計は、少なくとも、多くの場合に（都市）ブロックレベルである人口調査データを用いることによって利用可能である点が、留意されるべきである。５２０で、コンテンツプロバイダは、どの番組（プログラム、チャンネル）において及び／又はどの地域（人口統計）において及び／又はどの時間及び／又は曜日に特定の広告を放送（提供）すべきかを決定するために、データベース内の集約された広告順位付けデータを評価し且つ使用する。コンテンツプロバイダは、手数料を徴収して、又は彼らの広告をこのサービスにより掲載する勧誘として、かかる情報を広告者へ提供することができる。このように、広告者は如何なる個人データも受信しないので、プライバシーは保たれる。広告者は、しかしながら、自身の製品を買うことに関心を持っている可能性があるより良い対象の消費者及び自身のマーケティング予算をより良く割り当てることができる。５２５で、コンテンツプロバイダはまた、そのデフォルトのコマーシャル選択アルゴリズムを更新するために広告順位付けを使用する。これは、コンテンツプロバイダに、ユーザ（視聴者、消費者、クライアント、顧客）によって良く受け取られないアドを除き又は曜日、時間、番組、チャンネル、人口統計等によって広告をローテーションする能力を与える。
【００４３】
本発明は、ハードウェア、ソフトウェア、ファームウェア、特別目的のプロセッサ、又はそれらの組み合わせの様々な形において実施されてよい点が理解されるべきである。望ましくは、本発明は、ハードウェア及びソフトウェアの組み合わせとして実施されてよい。加えて、ソフトウェアは、望ましくは、プログラム記憶装置において有形に具現されるアプリケーションプログラムとして実施されてよい。アプリケーションプログラムは、何らかの適切なアーキテクチャを有する機械にアップロードされ、それによって実行されてよい。望ましくは、機械は、１又はそれ以上の中央演算処理装置（ＣＰＵ）、ランダムアクセスメモリ（ＲＡＭ）、及び入出力（Ｉ／Ｏ）インターフェースのようなハードウェアを備えるコンピュータプラットフォームにおいて実施される。コンピュータプラットフォームはまた、オペレーティングシステム及びマイクロ命令コードを含む。ここで記載される様々な処理及び機能は、オペレーティングシステムを介して実行されるアプリケーションプログラムの部分又はマイクロ命令コードの部分（あるいは、それらの組み合わせ）のいずれかであってよい。加えて、様々な他の周辺機器が、付加的なデータ記憶装置又は印刷装置のように、コンピュータプラットフォームへ接続されてよい。
【００４４】
添付の図面において表される構成システム要素及び方法ステップの幾つかは、望ましくはソフトウェアにおいて実施されるので、システム要素（又は処理ステップ）の間の実際の接続は、本発明がプログラムされる方法に依存して相違し得る点が、更に理解されるべきである。ここでの教示を鑑み、当業者は、本発明のそれら及び同様の実施又は構成を考えることができるであろう。  
上記の実施形態に加えて、以下の付記を開示する。
（付記１）
的を絞った広告をユーザへユーザ装置を介して提供する方法であって、
コンテンツプロバイダによって供給されるコンテンツを受信するステップと、
供給された前記コンテンツをレンダリングするステップと、
コマーシャル・ブレイクでデフォルトのコマーシャル選択アルゴリズムに基づき前記コンテンツに挿入されたコマーシャルを表示するステップと、
ユーザが前記コマーシャルを評価したいと望むかどうかを決定するステップと、
前記ユーザが前記コマーシャルを評価したいと望む場合に前記コマーシャルの前記ユーザによる評価を受け取るステップと、
前記コマーシャルの前記ユーザによる評価を前記コンテンツプロバイダへ送るステップと
を有する方法。
（付記２）
前記コンテンツプロバイダは、マルチプルシステムオペレータ、オンラインプロバイダ、又はブロードキャストプロバイダである、
付記１に記載の方法。
（付記３）
前記デフォルトのコマーシャル選択アルゴリズムは、人口統計及び／又は前記コンテンツに基づく、
付記１に記載の方法。
（付記４）
前記コマーシャルの前記ユーザによる評価は、アドサーバへも提供される、
付記１に記載の方法。
（付記５）
コンテンツプロバイダが的を絞った広告をユーザ装置へ供給する方法であって、
レンダリングのためにコンテンツを前記ユーザ装置へ送るステップと、
ユーザのプロファイルを取り出すステップと、
前記ユーザがユーザに特有のコマーシャル選択アルゴリズムを有するかどうかを決定するステップと、
前記ユーザに特有のコマーシャル選択アルゴリズム及び前記ユーザのプロファイルに基づき、コマーシャル・ブレイクより前に、コマーシャルを前記コンテンツに挿入するステップと、
前記コマーシャルを前記ユーザ装置へ提供するステップと、
提供された前記コマーシャルの評価に関するユーザフィードバックが受信されたかどうかを決定するステップと、
フィードバックが受信された場合は、前記ユーザのユーザに特有のコマーシャル選択アルゴリズムを変更するステップと、
ユーザに特有のコマーシャル選択アルゴリズムが見つけられなかった場合は、デフォルトのコマーシャル選択アルゴリズムに基づき、コマーシャル・ブレイクより前に、前記コマーシャルを前記コンテンツに挿入するステップと
を有する方法。
（付記６）
前記コンテンツプロバイダは、マルチプルシステムオペレータ、オンラインプロバイダ、又はブロードキャストプロバイダである、
付記５に記載の方法。
（付記７）
前記デフォルトのコマーシャル選択アルゴリズムは、人口統計及び／又は前記コンテンツに基づく、
付記５に記載の方法。
（付記８）
前記ユーザに特有のコマーシャル選択アルゴリズム及び前記ユーザのプロファイルに基づき、コマーシャル・ブレイクより前に、コマーシャルを前記コンテンツに挿入する前記ステップは、更に、現在の時間帯の広告者に基づく、
付記５に記載の方法。
（付記９）
的を絞った広告をユーザへユーザ装置を介して提供する装置であって、
コンテンツプロバイダによって供給されるコンテンツを受信する入力信号受信器と、
供給された前記コンテンツをレンダリングするディスプレイインターフェースと、
コマーシャル・ブレイクでデフォルトのコマーシャル選択アルゴリズムに基づき前記コンテンツに挿入されたコマーシャルを表示するディスプレイ装置と、
ユーザが前記コマーシャルを評価したいと望むかどうかを決定するユーザインターフェースと
を有し、
前記ユーザインターフェースはまた、前記ユーザが前記コマーシャルを評価したいと望む場合に前記コマーシャルの前記ユーザによる評価を受け取り、
前記入力信号受信器は、前記コマーシャルの前記ユーザによる評価を前記コンテンツプロバイダへ送るよう適応される、
装置。
（付記１０）
コンテンツプロバイダが的を絞った広告をユーザ装置へ供給する装置であって、
レンダリングのためにコンテンツを前記ユーザ装置へ送る手段であって、放送支局マネージャ及びコンテンツマネージャのうちの１つである手段と、
ユーザのプロファイルを取り出すよう適応される前記コンテンツプロバイダと、
更に、前記ユーザがユーザに特有のコマーシャル選択アルゴリズムを有するかどうかを決定する前記コンテンツプロバイダと、
前記ユーザに特有のコマーシャル選択アルゴリズム及び前記ユーザのプロファイルに基づき、コマーシャル・ブレイクより前に、コマーシャルを前記コンテンツに挿入するアドサーバと、
前記コマーシャルを前記ユーザ装置へ提供する受信装置と、
更に、提供された前記コマーシャルの評価に関するユーザフィードバックが受信されたかどうかを決定する前記コンテンツプロバイダと、
更に、フィードバックが受信された場合は、前記ユーザのユーザに特有のコマーシャル選択アルゴリズムを変更する前記コンテンツプロバイダと、
更に、ユーザに特有のコマーシャル選択アルゴリズムが見つけられなかった場合は、デフォルトのコマーシャル選択アルゴリズムに基づき、コマーシャル・ブレイクより前に、前記コマーシャルを前記コンテンツに挿入する前記アドサーバと
を有する装置。
【符号の説明】
【００４５】
１０２  コンテンツ源
１０４  放送支局マネージャ
１０８  受信装置
１１３  コンテンツマネージャ
１１４  ディスプレイ装置
１１６  タッチスクリーン制御装置
１１８  広告サーバ（アドサーバ）
２００  受信装置
２０２  入力信号受信器
２０４  入力ストリームプロセッサ
２０６  オーディオプロセッサ
２０８  オーディオインターフェース
２１２  記憶装置
２１４  コントローラ
２１６  ユーザインターフェース
２１８  ディスプレイインターフェース
２２２  タッチパネルインターフェース
２３５  ビデオプロセッサ
２４０  制御メモリ
【図１Ａ】
0006510470.tif 000002
【図１Ｂ】
0006510470.tif 000003
【図１Ｃ】
0006510470.tif 000004
【図２】
0006510470.tif 000005
【図３】
0006510470.tif 000006
【図４】
0006510470.tif 000007
【図５】
0006510470.tif 000008